(57)【要約】      （修正有）【課題】財布のカード入れ及びカード収納具などに収納して携帯する各種カードは、落下を防ぐと共に膨らみを抑えるために密着した窮屈な状態で収納しており、店で買い物などをした際に、使用するカードを抜き取るのは容易ではなく、時には手指の先及び爪を損傷する事態が生じて、カードを安全で且つ容易に手早く取り出すのは不可能だった。カードを、安全で且つ容易に手早く取り出すためのカード抜き取り具を提供する。【解決手段】二つ折りした板状の抜き取り具本体２に長さの異なる短腕部３と長腕部４を相対状に設け、短腕部３と長腕部４のそれぞれ後部に各指置部５を設け、短腕部３と長腕部４のそれぞれ先部に先端へ向かって薄くなる形状構成の各先鋒部６を設け、短腕部３と長腕部４のそれぞれ内側に各先鋒部６と一体連結した形状構成で相対状に微間隔で各挟み部７を設けて一体形成したことを特徴とするカード抜き取り具。【選択図】図１
2017099841.tif 000002
【特許請求の範囲】
【請求項１】
二つ折りした板状の抜き取り具本体に長さの異なる短腕部と長腕部を相対状に設け、短腕部と長腕部のそれぞれ後部に各指置部を設け、短腕部と長腕部のそれぞれ先部に先端へ向かって薄くなる形状構成の各先鋒部を設け、短腕部と長腕部のそれぞれ内側に各先鋒部と一体連結した形状構成で相対状に微間隔で各挟み部を設けて一体形成したことを特徴とするカード抜き取り具。
【請求項２】
前記各指置部のそれぞれ先部に山状の各加圧部を設けたことを特徴とする請求項１に記載のカード抜き取り具。
【請求項３】
前記各指置部のそれぞれ表面に手指の滑りを防止する各凸部を複数設けたことを特徴とする請求項１又は請求項２に記載のカード抜き取り具。
【発明の詳細な説明】
【技術分野】
【０００１】  本発明は、財布のカード入れ及びカード収納具などに収納して携帯している各種カードを、取り出して使用する際のカード抜き取り具に関するものである。
【背景技術】
【０００２】  従来、財布のカード入れ及びカード収納具などに収納して携帯している各種カードを、店で買い物をするなどして使用する際は、収納している複数の各種カードの中から必要なカードを、手の親指と人差指及び中指で摘まんで抜き取っていた。
尚、カード全体を収納したケースから、簡単にカードを取り出せるカード挟み具を設けたカードケースがある（特許文献１参照）。
【先行技術文献】
【特許文献】
【０００３】
【特許文献１】  特開平０５−２７７００７号公報
【発明の概要】
【発明が解決しようとする課題】
【０００４】  財布のカード入れ及びカード収納具などに収納して携帯している各種カードは、落下を防ぐと共に膨らみを抑えるために、密着した窮屈な状態で収納しており、店で買い物などして使用する際に必要なカード一枚を抜き取るのは容易ではなく、時には手指の先及び爪を損傷する事態が生じることもあり、上記の状態で収納したカードを、安全で且つ容易に手早く取り出して使用するのは不可能だった。
本発明は、以上の問題点を解決するためになされたものである。
【課題を解決するための手段】
【０００５】  二つ折りした板状の抜き取り具本体に長さの異なる短腕部と長腕部を相対状に設け、短腕部と長腕部のそれぞれ後部に各指置部を設け、短腕部と長腕部のそれぞれ先部に先端へ向かって薄くなる形状構成の各先鋒部を設け、短腕部と長腕部のそれぞれ内側に各先鋒部と一体連結した形状構成で相対状に微間隔で各挟み部を設けて一体形成したことを特徴とするカード抜き取り具。
【発明の効果】
【０００６】  従来不可能とされていた財布のカード入れ及びカード収納具などに密着した窮屈な状態で収納したカードを店などで使用する際に安全で且つ容易に手早く取り出すことを、本発明により可能にした。
本発明は、カードを誤るなどして路上及び床などに落とした際にも、手指を汚さずに容易に拾うことができる。
【図面の簡単な説明】
【０００７】
【図１】本発明の斜視図
【図２】本発明の使用状態を示す斜視図
【発明を実施するための形態】
【０００８】  以下、本発明の実施の形態を説明する。
（イ）二つ折りした板状のカード抜き取り具（１）の、硬質で弾力性のプラスチック材及      びステンレス材などの抜き取り具本体（２）に、長さの異なる短腕部（３）と長腕      部（４）を相対状に設ける。
（ロ）短腕部（３）の全長は６ｃｍ位で長腕部（４）の全長は６．７ｃｍ位であり、それ      ぞれの各幅は３ｃｍ位で、それぞれの各厚さは１ｍｍ位である。
（ハ）短腕部（３）と長腕部（４）の後部に、それぞれ手の親指と人差指及び中指で摘ま      み持つ各指置部（５）を設ける。
（ニ）短腕部（３）と長腕部（４）の先部に、それぞれ包丁の刃のような先端へ向かって      薄くなる形状構成の各先鋒部（６）を、標準的なサイズのカード（Ｋ）が侵入可能      な１ｍｍ位の相対間隔で設ける。
（ホ）各先鋒部（６）は、それぞれ先端が角を無くした半円に近い形状構成である。
（ヘ）短腕部（３）と長腕部（４）の内側に、それぞれ各先鋒部（６）と一体連結した形      状構成で相対状に微間隔で各挟み部（７）を設ける。
（ト）各挟み部（７）は、それぞれ侵入してくるカード（Ｋ）に合わせて自在に開閉する      弾力構造である。
（チ）各指置部（５）の先部に、それぞれ各挟み部（７）へ手の親指と人差指及び中指に      よる圧力が効率よく加わる形状構成の、傾斜３０度位の山状の各加圧部（８）を設      ける。
（リ）各指置部（５）の表面に、それぞれ滑りを防止する横棒状又は粒状などの各凸部（      ９）を適宣位置に複数設ける。
本発明は以上のような構造である。
本発明を使用するときは、カード抜き取り具（１）の短腕部（３）の指置部（５）に手の親指、長腕部（４）の指置部（５）に人差指及び中指を接着させて、３本の指でカード抜き取り具（１）を摘まむようにして持つ。
財布のカード入れ及びカード収納具に収納した各種カードの内の、今回使用する目的のカード（Ｋ）の背側の隙間に、長腕部（４）の先鋒部（６）を差し入れる。この後、カード（Ｋ）とカード抜き取り具（１）の姿勢を同一状態にして、カード（Ｋ）の背面に沿って長腕部（４）を押し下げれば、自動的に短腕部（３）の先鋒部（６）がカード（Ｋ）の前側の隙間に入るので、そのまま押し下げる作業を進めればよい。
そして、各挟み部（７）を押し分けるようにして進行したカード（Ｋ）の上側端部位が、各加圧部（８）の位置付近に到達したら、カード（Ｋ）を手の親指と人差指及び中指で直に摘まむ感覚と要領で、各加圧部（８）を強く押さえながら持ち上げるようにしてカード（Ｋ）を抜き取る。この時、手指が滑るのを各凸部（９）が防ぐ。カード（Ｋ）が３分の１位出た時点で、従来通り手指で直にカード（Ｋ）を摘まんで取り出す手法に切り換えてもよい。
また、誤って路上及び床などに落としたカード（Ｋ）を拾う際には、まず空いている手指若しくは足などで、カード（Ｋ）を押さえるなどしてずり動くのを防ぐ。次にカード抜き取り具（１）の長腕部（４）の先鋒部（６）を、カード（Ｋ）と路上及び床などとの隙間に差し入れる。続いてカード（Ｋ）を少し浮かせた状態にして、後は前記と同様の要領と作業で手指を汚さずに清潔に且つ容易に手早く、落としたカード（Ｋ）を拾うことができる。
尚、名刺及びハガキ若しくは書類などを拾う際にも使用できる。
【符号の説明】
【０００９】  １カード抜き取り具  ２抜き取り具本体  ３短腕部  ４長腕部  ５指置部  ６先鋒部、  ７挟み部  ８加圧部  ９凸部  Ｋカード
【図１】
2017099841.tif 000003
【図２】
2017099841.tif 000004